(57)【要約】      （修正有）【課題】モバイル装置によってモバイルバッテリーの関連情報を読み取ることができるモバイルバッテリーを提供する。【解決手段】モバイルバッテリー１は、筐体と筐体内に設置する電源供給モジュール２０、第一制御ユニット３０、第一伝送インタフェイス４０及び電子タグ５０を含む。第一伝送インタフェイスは、第一制御ユニットで電源供給モジュール２０と連接し、モバイル装置６０に電力を供給する。電子タグは、プロセッサ５１、伝送ユニット５２及びメモリユニット５３を設置し、プロセッサは第一制御ユニットで電源供給モジュールと連接し、伝送ユニット及びメモリユニットはそれぞれプロセッサと連接する。メモリユニットは電源供給モジュールの関連データを保存し、近距離無線通信もしくはＲＦＩＤ機能を備えたモバイル装置に感知し読み取らせ、モバイルバッテリーをモバイル装置に近づけるか、充電を行う時、ユーザーにモバイルバッテリーの関連情報を読み取らせる。【選択図】図２
0003189137.tif 000002
【実用新案登録請求の範囲】
【請求項１】
改良式モバイルバッテリーにおいて、少なくとも、
筐体と、
筐体内に設置する電源供給モジュールと、
該筐体内に設置し、該電源供給モジュールと連接する第一制御ユニットと、
該筐体内に設置し、該第一制御ユニットによって該電源供給モジュールと連接し、モバイル装置と連接してその電力を供給する第一伝送インタフェイスと、
該筐体内に設置し、それにはプロセッサ、伝送ユニット及びメモリユニットを設置し、該プロセッサは該第一制御ユニットで該電源供給モジュールと連接し、該伝送ユニット及びメモリユニットはそれぞれ該プロセッサと連接し、該メモリユニットは該電源供給モジュールの関連データを保存し、更に近距離無線通信(NFC)もしくは電波個体識別(RFID)機能を備えたモバイル装置に感知して読み取らせる電子タグ(tag)を含むことを特徴とする改良式モバイルバッテリー。
【請求項２】
前記メモリユニットは、該電源供給モジュールの電池容量を保存することを特徴とする請求項１記載の改良式モバイルバッテリー。
【請求項３】
前記メモリユニットは、該電源供給モジュールのサイクル寿命を保存することを特徴とする請求項１記載の改良式モバイルバッテリー。
【請求項４】
前記メモリユニットは、該電源供給モジュールの出力パワーを保存することを特徴とする請求項１記載の改良式モバイルバッテリー。
【請求項５】
前記メモリユニットは、該電源供給モジュールの製品シリアルナンバーを保存することを特徴とする請求項１記載の改良式モバイルバッテリー。
【請求項６】
前記モバイル装置は、ディスプレイ、充電式電池、第二制御ユニット、第二伝送インタフェイス及び読取りモジュールを備え、該ディスプレイ、充電式電池、第二伝送インタフェイス及び読取りモジュールは、それぞれ該第二制御ユニットと連接し、該読取りモジュールによって該電子タグ内の関連データを感知して読み取ることを特徴とする請求項１から５記載うち任意の一項である改良式モバイルバッテリー。
【請求項７】
前記モバイル装置は携帯電話とすることを特徴とする請求項６記載の改良式モバイルバッテリー。
【請求項８】
前記モバイル装置係為タブレット端末ことを特徴とする請求項６記載の改良式モバイルバッテリー。
【考案の詳細な説明】
【技術分野】
【０００１】
本考案は、改良式モバイルバッテリーに関するもので、ユーザーは該モバイル装置によってモバイルバッテリーの関連情報を読み取らせる改良式モバイルバッテリーを提供する。
【背景技術】
【０００２】
デジタル電子製品は、現代人にとって既に必需品であり、家庭生活だけでなく、旅行、出張、ビジネスでの必要とされている。そこでは必ずデジタル電子製品を必要とする。例として、旅行ではデジタルビデオ、デジタルカメラが必要で、更にはMP４デジタルビデオプレイヤー等が必要であり、また出張ではPDAもしくはノートパソコン等が非常に便利である。
【０００３】
これら在外の『携帯使用』、『商用電源不要の電力供給』デジタル電子製品にとって、電池の供電時問の長さはいつもユーザーの悪夢となり、更にオリジナル電池は高すぎる上に供電時間はいつも短すぎる。更に電池に対して充電しながら電力供給ができないことは欠乏感が更に高まり、デジタル電子製品が十分に運用できないでいる。そのため、現在モバイルバッテリーが市場に出現している。
【０００４】
一般モバイルバッテリーは、少なくとも一個の充電式電池を内蔵し、USB傳輸線で該電力バンク及び電子装置に連接し、該電子装置に電力を提供する。言い換えると、電力バンク本体は一種の外接装置に属するため、電力保存、伝送の基本機能を備える他に、更に多くの機能を付加する必要がある。
【０００５】
また、モバイルバッテリーの多くは、整合有其他的附加機能，相對的相關業者對其本身所生産的モバイルバッテリーもまた継続して新しいものが発売され、消費者は多くの規格、モデルナンバーを選ぶことができる。しかしながら、同一工場で生産するモバイルバッテリーにとって、異なる型番のモバイルバッテリーは付加機能がまったく異なるため、使用操作にも違いがある。
【考案の概要】
【考案が解決しようとする課題】
【０００６】
解決しようとする問題点は、充/放電重複使用の後、その電池の蓄電機能は償却される点である。そのため、いかにしてモバイルバッテリーの関連データを取得するか、またユーザーが如何に便利にモバイルバッテリーの電池機能を得ことである。
【課題を解決するための手段】
【０００７】
本考案は、少なくとも筐体と該筐体内に設置する電源供給モジュール、第一制御ユニット、第一伝送インタフェイス及び電子タグ(tag)を含む。該第一伝送インタフェイスは、該第一制御ユニットで該電源供給モジュールと連接し、モバイル装置と連接し、電力を供給する。該電子タグは、プロセッサ、伝送ユニット及びメモリユニットを設置し、該プロセッサは該第一制御ユニットで該電源供給モジュールと連接し、該伝送ユニット及びメモリユニットは、それぞれ該プロセッサと連接し、該メモリユニットは該電源供給モジュールの関連データを保存し、近距離無線通信(NFC)もしくは電波個体識別(RFID)機能を備えたモバイル装置に感知して読み取らせ、該モバイルバッテリーをモバイル装置に近づけるか、もしくは充電を行う時、その内部の電子タグに入れたデータを該モバイル装置へ伝送し、ユーザーに該モバイル装置によってモバイルバッテリーの関連情報を読み取らせることを最も主要な特徴とする。
【考案の効果】
【０００８】
本考案の改良式モバイルバッテリーは、モバイル装置によってモバイルバッテリーの関連情報を読み取るという利点がある。
【図面の簡単な説明】
【０００９】
【図１】本考案のモバイルバッテリーの構造立体図である。
【図２】本考案のモバイルバッテリーの構造ブロックダイアグラムである。
【図３】本考案のモバイルバッテリーの使用指示図である。
【図４】本考案のモバイルバッテリーとモバイル装置の構造指示図である。
【考案を実施するための形態】
【００１０】
公知に存在する問題を改善するため、ユーザーに該モバイル装置によってモバイルバッテリーの関連情報を読み取る改良式モバイルバッテリーを提供することを本考案の主な目的とする。
【００１１】
上述の目的を達成するため、本考案の改良式モバイルバッテリーは、少なくとも筐体、該筐体内に設置する電源供給モジュール、第一制御ユニット、第一伝送インタフェイス及び電子タグ(tag)を含む。該第一伝送インタフェイスは該第一制御ユニットによって該電源供給モジュールと連接し、モバイル装置と連接してその電力を供給する。該電子タグは、プロセッサ、伝送ユニット及びメモリユニットを設置し、該プロセッサは該第一制御ユニットによって該電源供給モジュールと連接し，また該伝送ユニット及びメモリユニットは、それぞれ該プロセッサと連接する。該メモリユニットは、該電源供給モジュールの関連データを保存し、近距離無線通信(NFC)もしくは電波個体識別(RFID)機能を備えたモバイル装置に感知して読み取らせる。
【００１２】
そのうち該モバイルバッテリーをモバイル装置に近づけるか、もしくは充電を行う時、その内部の電子タグが記載したデータを該モバイル装置へ伝送し，ユーザーが該モバイル装置によってモバイルバッテリーの関連情報を読み取る。
【００１３】
上述の目的を達成するため、該メモリユニットは該電源供給モジュールの電池容量、サイクル寿命、出力パワーもしくは製品シリアルナンバーを保存する。
【００１４】
上述の目的を達成するため、該モバイル装置はディスプレイ、充電式電池、第二制御ユニット、第二伝送インタフェイス及び読取りモジュールを備える。該ディスプレイ、充電式電池、第二伝送インタフェイス及び読取りモジュールは、それぞれ該第二制御ユニットと連接し、該読取りモジュールによって該電子タグ内の関連データを感知して読み取る。
【００１５】
上述のモバイル装置は携帯電話もしくはタブレット端末とする。
【実施例】
【００１６】
図１は本考案のモバイルバッテリーの構造立体図であり、図２は本考案のモバイルバッテリーの構造ブロックダイアグラムである。先ず、本考案のモバイルバッテリー１は筐体１０、電源供給モジュール２０、第一制御ユニット３０、第一伝送インタフェイス４０及び電子タグ(tag)５０を含む。
【００１７】
該筐体１０は、硬質の筐体で各部品の外側を覆う。該電源供給モジュール２０、第一制御ユニット３０、第一伝送インタフェイス４０及び電子タグ５０は該筐体１０内に設置する。
【００１８】
該第一制御ユニット３０は、該電源供給モジュール２０と連接し、該第一伝送インタフェイス４０及び電子タグ５０は、それぞれ該第一制御ユニット３０と連接する。更に該第一伝送インタフェイス４０は該第一制御ユニット３０によって該電源供給モジュール２０と連接してモバイル装置６０と連接し、電力を供給するか、もしくは該第一伝送インタフェイス４０によってその他電源(例として商用電源)と連接し、該電源供給モジュール２０の充電電源を提供する。当然、該モバイル装置は携帯電話もしくはタブレット端末等とする。
【００１９】
該電子タグ５０はプロセッサ５１、伝送ユニット５２及びメモリユニット５３を設置する。該プロセッサ５１は、該第一制御ユニット３０によって該電源供給モジュール２０と連接し、該電源供給モジュール２０によって該プロセッサ５１の電力ソースを供給する。また、該伝送ユニット５２及びメモリユニット５３は、それぞれ該プロセッサ５１と連接し、該メモリユニット５３は該電源供給モジュール２０の関連データを保存し、近距離無線通信(NFC)もしくは電波個体識別(RFID)機能を備えたモバイル装置に感知して読み取らせる。
【００２０】
全体使用する時、図３に示すとおり、該モバイルバッテリー１をモバイル装置６０に近づけるか、もしくは充電する時、その内部の電子タグが記載したデータを該モバイル装置６０へ伝送し、ユーザーに該モバイル装置６０でモバイルバッテリー１の関連情報を読み取らせる。そのうち、図４に示すとおり、該モバイル装置６０はディスプレイ６１、充電式電池６２、第二制御ユニット６３、第二伝送インタフェイス６４及び読取りモジュール６５を備える。該ディスプレイ６１、充電式電池６２、第二伝送インタフェイス６４及び読取りモジュール６５は、それぞれ該第二制御ユニット６３と連接し、モバイルバッテリー１を近づけると、該読取りモジュール６５によって該電子タグ５０内の関連データを感知して読取り、該第二制御ユニット６３によって該関連データを該ディスプレイ６１へ伝送して表示し、ユーザーにモバイルバッテリー１の関連情報をはっきりと知らせる。当然、該電子タグのメモリユニットは、該電源供給モジュールの電池容量、サイクル寿命、出力パワーもしくは製品シリアルナンバーを保存し、ユーザーに現在の電池容量、モバイルバッテリーのサイクル寿命及び出力パワーを知らせ、更に電池交換もしくは充電の準備を早めに知らせ、更にユーザーに該モバイルバッテリーがオリジナル製品か否かを知らせる。
【００２１】
上述のとおり、本考案は実施可能な改良式モバイルバッテリーを提供し、法に基づき実用新案登録を申請する。本考案の技術内容及び技術特徴は上述のとおりであるが、当領域に習熟する者が本考案の精神から乖離しない入替え及び修飾を行うかもしれない。拠って本考案の保護範囲は、実施例に制限されず、本考案から乖離しない入替え及び修飾各種を含み、以下の請求範囲に含む。
【符号の説明】
【００２２】
１        モバイルバッテリー
１０        筐体
２０        電源供給モジュール
３０        第一制御ユニット
４０        第一伝送インタフェイス
５０        電子タグ
５１        プロセッサ
５２        伝送ユニット
５３        メモリユニット５３
６０        モバイル装置
６１        ディスプレイ
６２        充電式電池
６３        第二制御ユニット６３
６４        第二伝送インタフェイス６４
６５        読取りモジュール
【図１】
0003189137.tif 000003
【図２】
0003189137.tif 000004
【図３】
0003189137.tif 000005
【図４】
0003189137.tif 000006
【手続補正書】
【提出日】平成25年12月17日(2013.12.17)
【手続補正１】
【補正対象書類名】実用新案登録請求の範囲
【補正対象項目名】請求項８
【補正方法】変更
【補正の内容】
【請求項８】
前記モバイル装置はタブレット端末であることを特徴とする請求項６記載の改良式モバイルバッテリー。
【手続補正２】
【補正対象書類名】明細書
【補正対象項目名】０００５
【補正方法】変更
【補正の内容】
【０００５】
また、モバイルバッテリーの多くは、他の付加機能を備え、相対して関連業者は、本体生産に関わるモバイルバッテリーも継続して新しいものが発売され、消費者は多くの規格、モデルナンバーを選ぶことができる。しかしながら、同一工場で生産するモバイルバッテリーにとって、異なる型番のモバイルバッテリーは付加機能がまったく異なるため、使用操作にも違いがある。